(57)【要約】【課題】移動局宛てのショートメッセージの配信時間を短縮する。【解決手段】本発明に係る移動通信方法は、サーバＳＭＳ-ＧＷが、受信した移動局ＵＥ＃１宛てのＳＭＳメッセージの配信要求信号に応じて、サーバＨＳＳに対して位置情報問合せ要求信号を送信する工程と、サーバＨＳＳが、受信した位置情報問合せ要求信号に応じて、サーバＰＣＲＦから移動局ＵＥ＃１の待ち受け対象のＲＡＴ種別を取得する工程と、サーバＨＳＳが、サーバＳＭＳ-ＧＷに対して、移動局ＵＥ＃１の位置情報及び移動局ＵＥ＃１の待ち受け対象のＲＡＴ種別を含む位置情報問合せ応答信号を送信する工程と、サーバＳＭＳ-ＧＷが、受信した位置情報問合せ応答信号に含まれる移動局ＵＥ＃１の位置情報及び移動局ＵＥ＃１の待ち受け対象のＲＡＴ種別に基づいて、ＳＭＳメッセージを配信する工程とを有する。【選択図】図５
2010258901.tif 000002
【特許請求の範囲】
【請求項１】
複数種別の無線アクセスネットワークのいずれかで待ち受けを行っている移動局に対して、ショートメッセージを送信する移動通信方法であって、
ショートメッセージ配信サーバが、受信した前記移動局宛てのショートメッセージの配信要求信号に応じて、各移動局の位置情報を管理している位置情報管理サーバに対して、該移動局の位置情報を問合せるための位置情報問合せ要求信号を送信する工程と、
前記位置情報管理サーバが、受信した前記位置情報問合せ要求信号に応じて、前記ショートメッセージ配信サーバと無線アクセスネットワーク装置との間の各セッションに対応する移動局及び無線アクセスネットワークの種別を管理しているセッション管理サーバから、前記移動局の待ち受け対象の無線アクセスネットワークの種別を取得する工程と、
前記位置情報管理サーバが、前記ショートメッセージ配信サーバに対して、前記移動局の位置情報及び該移動局の待ち受け対象の無線アクセスネットワークの種別を含む位置情報問合せ応答信号を送信する工程と、
前記ショートメッセージ配信サーバが、受信した前記位置情報問合せ応答信号に含まれる前記移動局の位置情報及び該移動局の待ち受け対象の無線アクセスネットワークの種別に基づいて、前記ショートメッセージを配信する工程とを有することを特徴とする移動通信方法。
【請求項２】
複数種別の無線アクセスネットワークのいずれかで待ち受けを行っている移動局に対して、ショートメッセージを送信する移動通信方法であって、
ショートメッセージ配信サーバと無線アクセスネットワーク装置との間の各セッションに対応する移動局及び無線アクセスネットワークの種別を管理しているセッション管理サーバが、各移動局の待ち受け対象の無線アクセスネットワークの種別の変更を検出した場合に、各移動局の位置情報及び各移動局の待ち受け対象の無線アクセスネットワークの種別を管理している位置情報管理サーバに対して、その旨を通知する工程と、
前記位置情報管理サーバが、前記セッション管理サーバからの通知に応じて、各移動局の待ち受け対象の無線アクセスネットワークの種別を更新する工程と、
ショートメッセージ配信サーバが、受信した前記移動局宛てのショートメッセージの配信要求信号に応じて、前記位置情報管理サーバに対して、該移動局の位置情報を問合せるための位置情報問合せ要求信号を送信する工程と、
前記位置情報管理サーバが、受信した前記位置情報問合せ要求信号に応じて、前記ショートメッセージ配信サーバに対して、前記移動局の位置情報及び該移動局の待ち受け対象の無線アクセスネットワークの種別を含む位置情報問合せ応答信号を送信する工程と、
前記ショートメッセージ配信サーバが、受信した前記位置情報問合せ応答信号に含まれる前記移動局の位置情報及び該移動局の待ち受け対象の無線アクセスネットワークの種別に基づいて、前記ショートメッセージを配信する工程とを有することを特徴とする移動通信方法。
【請求項３】
複数種別の無線アクセスネットワークのいずれかで待ち受けを行っている移動局に対して、ショートメッセージを送信する移動通信方法であって、
ショートメッセージ配信サーバが、受信した前記移動局宛てのショートメッセージの配信要求信号に応じて、各移動局の位置情報を管理している位置情報管理サーバに対して、該移動局の位置情報を問合せるための位置情報問合せ要求信号を送信し、該ショートメッセージ配信サーバと無線アクセスネットワーク装置との間の各セッションに対応する移動局及び無線アクセスネットワークの種別を管理しているセッション管理サーバに対して、該移動局の待ち受け対象の無線アクセスネットワークの種別を問合せるための無線アクセスネットワーク種別問合せ要求信号を送信する工程と、
前記位置情報管理サーバが、前記ショートメッセージ配信サーバに対して、前記移動局の位置情報を含む位置情報問合せ応答信号を送信する工程と、
前記セッション管理サーバが、前記ショートメッセージ配信サーバに対して、前記移動局の待ち受け対象の無線アクセスネットワークの種別を含む無線アクセスネットワーク種別問合せ応答信号を送信する工程と、
前記ショートメッセージ配信サーバが、受信した前記位置情報問合せ応答信号に含まれる前記移動局の位置情報及び受信した前記無線アクセスネットワーク種別問合せ応答信号に含まれる該移動局の待ち受け対象の無線アクセスネットワークの種別に基づいて、前記ショートメッセージを配信する工程とを有することを特徴とする移動通信方法。
【請求項４】
複数種別の無線アクセスネットワークのいずれかで待ち受けを行っている移動局に対して、ショートメッセージを送信するように構成されている移動通信システムであって、
ショートメッセージ配信サーバと、
各移動局の位置情報を管理している位置情報管理サーバと、
前記ショートメッセージ配信サーバと無線アクセスネットワーク装置との間の各セッションに対応する移動局及び無線アクセスネットワークの種別を管理しているセッション管理サーバとを具備し、
前記ショートメッセージ配信サーバは、
受信した前記移動局宛てのショートメッセージの配信要求信号に応じて、前記位置情報管理サーバに対して、該移動局の位置情報を問合せるための位置情報問合せ要求信号を送信するように構成されている機能と、
前記位置情報管理サーバから受信した位置情報問合せ応答信号に含まれる前記移動局の位置情報及び該移動局の待ち受け対象の無線アクセスネットワークの種別に基づいて、前記ショートメッセージを配信するように構成されている機能とを具備し、
前記位置情報管理サーバは、
前記ショートメッセージ配信サーバから受信した前記位置情報問合せ要求信号に応じて、前記セッション管理サーバから、前記移動局の待ち受け対象の無線アクセスネットワークの種別を取得するように構成されている機能と、
前記ショートメッセージ配信サーバに対して、前記移動局の位置情報及び前記セッション管理サーバから取得した該移動局の待ち受け対象の無線アクセスネットワークの種別を含む位置情報問合せ応答信号を送信するように構成されている機能とを具備することを特徴とする移動通信システム。
【請求項５】
複数種別の無線アクセスネットワークのいずれかで待ち受けを行っている移動局に対して、ショートメッセージを送信するように構成されている移動通信システムであって、
ショートメッセージ配信サーバと、
各移動局の位置情報及び各移動局の待ち受け対象の無線アクセスネットワークの種別を管理しているを管理している位置情報管理サーバと、
前記ショートメッセージ配信サーバと無線アクセスネットワーク装置との間の各セッションに対応する移動局及び無線アクセスネットワークの種別を管理しているセッション管理サーバとを具備し、
前記ショートメッセージ配信サーバは、
受信した前記移動局宛てのショートメッセージの配信要求信号に応じて、前記位置情報管理サーバに対して、該移動局の位置情報を問合せるための位置情報問合せ要求信号を送信するように構成されている機能と、
前記位置情報管理サーバから受信した位置情報問合せ応答信号に含まれる前記移動局の位置情報及び該移動局の待ち受け対象の無線アクセスネットワークの種別に基づいて、前記ショートメッセージを配信するように構成されている機能とを具備し、
前記位置情報管理サーバは、
前記ショートメッセージ配信サーバから受信した前記位置情報問合せ要求信号に応じて、前記ショートメッセージ配信サーバに対して、前記移動局の位置情報及び該移動局の待ち受け対象の無線アクセスネットワークの種別を含む位置情報問合せ応答信号を送信するように構成されている機能を具備し、
前記セッション管理サーバは、
各移動局の待ち受け対象の無線アクセスネットワークの種別の変更を検出した場合に、前記位置情報管理サーバに対して、その旨を通知するように構成されている機能を具備することを特徴とする移動通信システム。
【請求項６】
複数種別の無線アクセスネットワークのいずれかで待ち受けを行っている移動局に対して、ショートメッセージを送信するように構成されている移動通信システムであって、
ショートメッセージ配信サーバと、
各移動局の位置情報を管理している位置情報管理サーバと、
前記ショートメッセージ配信サーバと無線アクセスネットワーク装置との間の各セッションに対応する移動局及び無線アクセスネットワークの種別を管理しているセッション管理サーバとを具備し、
前記ショートメッセージ配信サーバは、
受信した前記移動局宛てのショートメッセージの配信要求信号に応じて、前記位置情報管理サーバに対して、該移動局の位置情報を問合せるための位置情報問合せ要求信号を送信するように構成されている機能と、
受信した前記移動局宛てのショートメッセージの配信要求信号に応じて、前記セッション管理サーバに対して、該移動局の待ち受け対象の無線アクセスネットワークの種別を問合せるための無線アクセスネットワーク種別問合せ要求信号を送信するように構成されている機能と、
前記位置情報管理サーバから受信した位置情報問合せ応答信号に含まれる前記移動局の位置情報及び前記セッション管理サーバから受信した無線アクセスネットワーク種別問合せ応答信号に含まれる該移動局の待ち受け対象の無線アクセスネットワークの種別に基づいて、前記ショートメッセージを配信するように構成されている機能とを具備し、
前記位置情報管理サーバは、
前記ショートメッセージ配信サーバから受信した前記位置情報問合せ要求信号に応じて、前記ショートメッセージ配信サーバに対して、前記移動局の位置情報を含む位置情報問合せ応答信号を送信するように構成されている機能とを具備し、
前記セッション管理サーバは、
前記ショートメッセージ配信サーバから受信した前記無線アクセスネットワーク種別問合せ要求信号に応じて、前記ショートメッセージ配信サーバに対して、前記移動局の待ち受け対象の無線アクセスネットワークの種別を含む無線アクセスネットワーク種別問合せ応答信号を送信するように構成されている機能とを具備することを特徴とする移動通信システム。
【請求項７】
複数種別の無線アクセスネットワークのいずれかで待ち受けを行っている移動局に対して、ショートメッセージを送信するように構成されている移動通信システムで用いられるショートメッセージ配信サーバであって、
受信した前記移動局宛てのショートメッセージの配信要求信号に応じて、各移動局の位置情報を管理している位置情報管理サーバに対して、該移動局の位置情報を問合せるための位置情報問合せ要求信号を送信するように構成されている機能と、
前記位置情報管理サーバから受信した位置情報問合せ応答信号に含まれる前記移動局の位置情報及び該移動局の待ち受け対象の無線アクセスネットワークの種別に基づいて、前記ショートメッセージを配信するように構成されている機能とを具備することを特徴とするショートメッセージ配信サーバ。
【請求項８】
複数種別の無線アクセスネットワークのいずれかで待ち受けを行っている移動局に対して、ショートメッセージを送信するように構成されている移動通信システムで用いられるショートメッセージ配信サーバであって、
受信した前記移動局宛てのショートメッセージの配信要求信号に応じて、各移動局の位置情報を管理している位置情報管理サーバに対して、該移動局の位置情報を問合せるための位置情報問合せ要求信号を送信するように構成されている機能と、
受信した前記移動局宛てのショートメッセージの配信要求信号に応じて、前記ショートメッセージ配信サーバと無線アクセスネットワーク装置との間の各セッションに対応する移動局及び無線アクセスネットワークの種別を管理しているセッション管理サーバに対して、該移動局の待ち受け対象の無線アクセスネットワークの種別を問合せるための無線アクセスネットワーク種別問合せ要求信号を送信するように構成されている機能と、
前記位置情報管理サーバから受信した位置情報問合せ応答信号に含まれる前記移動局の位置情報及び前記セッション管理サーバから受信した無線アクセスネットワーク種別問合せ応答信号に含まれる該移動局の待ち受け対象の無線アクセスネットワークの種別に基づいて、前記ショートメッセージを配信するように構成されている機能とを具備することを特徴とするショートメッセージ配信サーバ。
【請求項９】
複数種別の無線アクセスネットワークのいずれかで待ち受けを行っている移動局に対して、ショートメッセージを送信するように構成されている移動通信システムで用いられる位置情報管理サーバであって、
各移動局の位置情報を管理するように構成されている機能と、
ショートメッセージ配信サーバから、前記移動局の位置情報を問合せるための位置情報問合せ要求信号を受信し、該位置情報問合せ要求信号に応じて、該ショートメッセージ配信サーバと無線アクセスネットワーク装置との間の各セッションに対応する移動局及び無線アクセスネットワークの種別を管理しているセッション管理サーバから、該移動局の待ち受け対象の無線アクセスネットワークの種別を取得するように構成されている機能と、
前記ショートメッセージ配信サーバに対して、前記移動局の位置情報及び前記セッション管理サーバから取得した該移動局の待ち受け対象の無線アクセスネットワークの種別を含む位置情報問合せ応答信号を送信するように構成されている機能とを具備することを特徴とする位置情報管理サーバ。
【請求項１０】
複数種別の無線アクセスネットワークのいずれかで待ち受けを行っている移動局に対して、ショートメッセージを送信するように構成されている移動通信システムで用いられるセッション管理サーバであって、
ショートメッセージ配信サーバと無線アクセスネットワーク装置との間の各セッションに対応する移動局及び無線アクセスネットワークの種別を管理するように構成されている機能と、
各移動局の待ち受け対象の無線アクセスネットワークの種別の変更を検出した場合に、各移動局の位置情報を管理している位置情報管理サーバに対して、その旨を通知するように構成されている機能とを具備することを特徴とするセッション管理サーバ。
【発明の詳細な説明】
【技術分野】
【０００１】
本発明は、移動通信方法、移動通信システム、ショートメッセージ配信サーバ、位置情報管理サーバ及びセッション管理サーバに関する。
【背景技術】
【０００２】
図１３及び図１４を参照して、現在の３ＧＰＰで規定されている移動通信システムにおけるＳＭＳ（Ｓｈｏｒｔ  Ｍｅｓｓａｇｅ  Ｓｅｒｖｉｃｅ）メッセージの配信方法について説明する。
【０００３】
図１３に示すように、かかる移動通信システムでは、移動局ＵＥ＃１は、待ち受け対象の無線アクセスネットワーク（ＲＡＴ：Ｒａｄｉｏ  Ａｃｃｅｓｓ  Ｔｅｃｈｎｏｌｏｇｙ）が変更になった場合に、サーバＨＳＳ（Ｈｏｍｅ  Ｓｕｂｓｃｒｉｂｅｒ  Ｓｅｒｖｅｒ）に対して、移動局ＵＥ＃１の位置情報を登録するように構成されている。
【０００４】
また、かかる移動通信システムでは、移動局ＵＥ＃１は、待ち受け対象のＲＡＴが変更になった場合、すなわち、コアネットワーク装置と無線アクセスネットワーク装置との間のセッションが切り替わった場合、サーバＰＣＲＦ（Ｐｏｌｉｃｙ  ａｎｄ  Ｃｈａｒｇｉｎｇ  Ｒｕｌｅｓ  Ｆｕｎｃｔｉｏｎ）に対して、新たな移動局ＵＥ＃１の待ち受け対象のＲＡＴ種別を登録するように構成されている。
【０００５】
また、図１４に示すように、（１）において、サーバＳＭＳ-ＧＷ（ＳＭＳ-Ｇａｔｅｗａｙ）は、ＳＭＳセンターから、移動局ＵＥ＃１宛てのＳＭＳメッセージの配信要求信号を受信すると、（２）において、サーバＨＳＳから、移動局ＵＥ＃１の位置情報を取得する。
【０００６】
サーバＳＭＳ-ＧＷは、（３）において、通信事業者によって設定されている位置情報の利用優先順位に基づいて、移動局ＵＥ＃１宛てのＳＭＳメッセージの配信先（図１４の例では、「ＵＴＲＡＮ/ＧＥＲＡＮ」を収容する交換局ＳＧＳＮ）を決定し、（４）において、決定された配信先に対して、移動局ＵＥ＃１宛てのＳＭＳメッセージを配信する。
【０００７】
かかるＲＡＴにおいて、移動局ＵＥ＃１が待ち受けを行っていない場合には、（５）において、サーバＳＭＳ-ＧＷは、次の利用優先順位の位置情報に基づいて決定された配信先（図１４の例では、「Ｅ-ＵＴＲＡＮ」を収容するノードＥＰＣ（Ｅｖｏｌｖｅｄ  Ｐａｃｋｅｔ  Ｃｏｒｅ））に対して、移動局ＵＥ＃１宛てのＳＭＳメッセージを再送する。
【先行技術文献】
【非特許文献】
【０００８】
【非特許文献１】３ＧＰＰ  ＴＳ２３.２０４、「Ｓｕｐｐｏｒｔ  ｏｆ  Ｓｈｏｒｔ  Ｍｅｓｓａｇｅ  Ｓｅｒｖｉｃｅ（ＳＭＳ）  ｏｖｅｒ  ｇｅｎｅｒｉｃ  ３ＧＰＰ  Ｉｎｔｅｒｎｅｔ  Ｐｒｏｔｏｃｏｌ（ＩＰ）  ａｃｃｅｓｓ；Ｓｔａｇｅ  ２」
【非特許文献２】３ＧＰＰ  ＴＳ２３.２０３、「Ｐｏｌｉｃｙ  ａｎｄ  ｃｈａｒｇｉｎｇ  ｃｏｎｔｒｏｌ  ａｒｃｈｉｔｅｃｔｕｒｅ」
【非特許文献３】３ＧＰＰ  ＴＳ２３.４０１、「Ｇｅｎｅｒａｌ  Ｐａｃｋｅｔ  Ｒａｄｉｏ  Ｓｅｒｖｉｃｅ（ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  ａｃｃｅｓｓ」
【非特許文献４】３ＧＰＰ  ＴＳ２３.４０２、「Ａｒｃｈｉｔｅｃｔｕｒｅ  ｅｎｈａｎｃｅｍｅｎｔｓ  ｆｏｒ  ｎｏｎ-３ＧＰＰ  ａｃｃｅｓｓｅｓ」
【発明の概要】
【発明が解決しようとする課題】
【０００９】
しかしながら、上述したように、現在の３ＧＰＰで規定されている移動通信システムでは、サーバＳＭＳ-ＧＷが、移動局ＵＥ＃１の待ち受け対象のＲＡＴには関係なく、通信事業者によって設定された位置情報の利用優先順位に基づいて、移動局ＵＥ＃１宛てのＳＭＳメッセージの配信先を決定し、移動局ＵＥ＃１が、複数のＲＡＴにおいて待ち受けを行うことができないため、移動局ＵＥ＃１が待ち受けしていないＲＡＴに対して、ＳＭＳメッセージを配信した場合には、ＳＭＳメッセージの再送によって、移動局ＵＥ＃１が、ＳＭＳメッセージを受信するまでの遅延時間が大きくなってしまうという問題点があった。
【００１０】
そこで、本発明は、上述の課題に鑑みてなされたものであり、移動局宛てのショートメッセージの配信時間を短縮することができる移動通信方法、移動通信システム、ショートメッセージ配信サーバ、位置情報管理サーバ及びセッション管理サーバを提供することを目的とする。
【課題を解決するための手段】
【００１１】
本発明の第１の特徴は、複数種別の無線アクセスネットワークのいずれかで待ち受けを行っている移動局に対して、ショートメッセージを送信する移動通信方法であって、ショートメッセージ配信サーバが、受信した前記移動局宛てのショートメッセージの配信要求信号に応じて、各移動局の位置情報を管理している位置情報管理サーバに対して、該移動局の位置情報を問合せるための位置情報問合せ要求信号を送信する工程と、前記位置情報管理サーバが、受信した前記位置情報問合せ要求信号に応じて、前記ショートメッセージ配信サーバと無線アクセスネットワーク装置との間の各セッションに対応する移動局及び無線アクセスネットワークの種別を管理しているセッション管理サーバから、前記移動局の待ち受け対象の無線アクセスネットワークの種別を取得する工程と、前記位置情報管理サーバが、前記ショートメッセージ配信サーバに対して、前記移動局の位置情報及び該移動局の待ち受け対象の無線アクセスネットワークの種別を含む位置情報問合せ応答信号を送信する工程と、前記ショートメッセージ配信サーバが、受信した前記位置情報問合せ応答信号に含まれる前記移動局の位置情報及び該移動局の待ち受け対象の無線アクセスネットワークの種別に基づいて、前記ショートメッセージを配信する工程とを有することを要旨とする。
【００１２】
本発明の第２の特徴は、複数種別の無線アクセスネットワークのいずれかで待ち受けを行っている移動局に対して、ショートメッセージを送信する移動通信方法であって、ショートメッセージ配信サーバと無線アクセスネットワーク装置との間の各セッションに対応する移動局及び無線アクセスネットワークの種別を管理しているセッション管理サーバが、各移動局の待ち受け対象の無線アクセスネットワークの種別の変更を検出した場合に、各移動局の位置情報及び各移動局の待ち受け対象の無線アクセスネットワークの種別を管理している位置情報管理サーバに対して、その旨を通知する工程と、前記位置情報管理サーバが、前記セッション管理サーバからの通知に応じて、各移動局の待ち受け対象の無線アクセスネットワークの種別を更新する工程と、ショートメッセージ配信サーバが、受信した前記移動局宛てのショートメッセージの配信要求信号に応じて、前記位置情報管理サーバに対して、該移動局の位置情報を問合せるための位置情報問合せ要求信号を送信する工程と、前記位置情報管理サーバが、受信した前記位置情報問合せ要求信号に応じて、前記ショートメッセージ配信サーバに対して、前記移動局の位置情報及び該移動局の待ち受け対象の無線アクセスネットワークの種別を含む位置情報問合せ応答信号を送信する工程と、前記ショートメッセージ配信サーバが、受信した前記位置情報問合せ応答信号に含まれる前記移動局の位置情報及び該移動局の待ち受け対象の無線アクセスネットワークの種別に基づいて、前記ショートメッセージを配信する工程とを有することを要旨とする。
【００１３】
本発明の第３の特徴は、複数種別の無線アクセスネットワークのいずれかで待ち受けを行っている移動局に対して、ショートメッセージを送信する移動通信方法であって、ショートメッセージ配信サーバが、受信した前記移動局宛てのショートメッセージの配信要求信号に応じて、各移動局の位置情報を管理している位置情報管理サーバに対して、該移動局の位置情報を問合せるための位置情報問合せ要求信号を送信し、該ショートメッセージ配信サーバと無線アクセスネットワーク装置との間の各セッションに対応する移動局及び無線アクセスネットワークの種別を管理しているセッション管理サーバに対して、該移動局の待ち受け対象の無線アクセスネットワークの種別を問合せるための無線アクセスネットワーク種別問合せ要求信号を送信する工程と、前記位置情報管理サーバが、前記ショートメッセージ配信サーバに対して、前記移動局の位置情報を含む位置情報問合せ応答信号を送信する工程と、前記セッション管理サーバが、前記ショートメッセージ配信サーバに対して、前記移動局の待ち受け対象の無線アクセスネットワークの種別を含む無線アクセスネットワーク種別問合せ応答信号を送信する工程と、前記ショートメッセージ配信サーバが、受信した前記位置情報問合せ応答信号に含まれる前記移動局の位置情報及び受信した前記無線アクセスネットワーク種別問合せ応答信号に含まれる該移動局の待ち受け対象の無線アクセスネットワークの種別に基づいて、前記ショートメッセージを配信する工程とを有することを要旨とする。
【００１４】
本発明の第４の特徴は、複数種別の無線アクセスネットワークのいずれかで待ち受けを行っている移動局に対して、ショートメッセージを送信するように構成されている移動通信システムであって、ショートメッセージ配信サーバと、各移動局の位置情報を管理している位置情報管理サーバと、前記ショートメッセージ配信サーバと無線アクセスネットワーク装置との間の各セッションに対応する移動局及び無線アクセスネットワークの種別を管理しているセッション管理サーバとを具備し、前記ショートメッセージ配信サーバは、受信した前記移動局宛てのショートメッセージの配信要求信号に応じて、前記位置情報管理サーバに対して、該移動局の位置情報を問合せるための位置情報問合せ要求信号を送信するように構成されている機能と、前記位置情報管理サーバから受信した位置情報問合せ応答信号に含まれる前記移動局の位置情報及び該移動局の待ち受け対象の無線アクセスネットワークの種別に基づいて、前記ショートメッセージを配信するように構成されている機能とを具備し、前記位置情報管理サーバは、前記ショートメッセージ配信サーバから受信した前記位置情報問合せ要求信号に応じて、前記セッション管理サーバから、前記移動局の待ち受け対象の無線アクセスネットワークの種別を取得するように構成されている機能と、前記ショートメッセージ配信サーバに対して、前記移動局の位置情報及び前記セッション管理サーバから取得した該移動局の待ち受け対象の無線アクセスネットワークの種別を含む位置情報問合せ応答信号を送信するように構成されている機能とを具備することを要旨とする。
【００１５】
本発明の第５の特徴は、複数種別の無線アクセスネットワークのいずれかで待ち受けを行っている移動局に対して、ショートメッセージを送信するように構成されている移動通信システムであって、ショートメッセージ配信サーバと、各移動局の位置情報及び各移動局の待ち受け対象の無線アクセスネットワークの種別を管理しているを管理している位置情報管理サーバと、前記ショートメッセージ配信サーバと無線アクセスネットワーク装置との間の各セッションに対応する移動局及び無線アクセスネットワークの種別を管理しているセッション管理サーバとを具備し、前記ショートメッセージ配信サーバは、受信した前記移動局宛てのショートメッセージの配信要求信号に応じて、前記位置情報管理サーバに対して、該移動局の位置情報を問合せるための位置情報問合せ要求信号を送信するように構成されている機能と、前記位置情報管理サーバから受信した位置情報問合せ応答信号に含まれる前記移動局の位置情報及び該移動局の待ち受け対象の無線アクセスネットワークの種別に基づいて、前記ショートメッセージを配信するように構成されている機能とを具備し、前記位置情報管理サーバは、前記ショートメッセージ配信サーバから受信した前記位置情報問合せ要求信号に応じて、前記ショートメッセージ配信サーバに対して、前記移動局の位置情報及び該移動局の待ち受け対象の無線アクセスネットワークの種別を含む位置情報問合せ応答信号を送信するように構成されている機能を具備し、前記セッション管理サーバは、  各移動局の待ち受け対象の無線アクセスネットワークの種別の変更を検出した場合に、前記位置情報管理サーバに対して、その旨を通知するように構成されている機能を具備することを要旨とする。
【００１６】
本発明の第６の特徴は、複数種別の無線アクセスネットワークのいずれかで待ち受けを行っている移動局に対して、ショートメッセージを送信するように構成されている移動通信システムであって、ショートメッセージ配信サーバと、各移動局の位置情報を管理している位置情報管理サーバと、前記ショートメッセージ配信サーバと無線アクセスネットワーク装置との間の各セッションに対応する移動局及び無線アクセスネットワークの種別を管理しているセッション管理サーバとを具備し、前記ショートメッセージ配信サーバは、受信した前記移動局宛てのショートメッセージの配信要求信号に応じて、前記位置情報管理サーバに対して、該移動局の位置情報を問合せるための位置情報問合せ要求信号を送信するように構成されている機能と、受信した前記移動局宛てのショートメッセージの配信要求信号に応じて、前記セッション管理サーバに対して、該移動局の待ち受け対象の無線アクセスネットワークの種別を問合せるための無線アクセスネットワーク種別問合せ要求信号を送信するように構成されている機能と、前記位置情報管理サーバから受信した位置情報問合せ応答信号に含まれる前記移動局の位置情報及び前記セッション管理サーバから受信した無線アクセスネットワーク種別問合せ応答信号に含まれる該移動局の待ち受け対象の無線アクセスネットワークの種別に基づいて、前記ショートメッセージを配信するように構成されている機能とを具備し、前記位置情報管理サーバは、前記ショートメッセージ配信サーバから受信した前記位置情報問合せ要求信号に応じて、前記ショートメッセージ配信サーバに対して、前記移動局の位置情報を含む位置情報問合せ応答信号を送信するように構成されている機能とを具備し、前記セッション管理サーバは、    前記ショートメッセージ配信サーバから受信した前記無線アクセスネットワーク種別問合せ要求信号に応じて、前記ショートメッセージ配信サーバに対して、前記移動局の待ち受け対象の無線アクセスネットワークの種別を含む無線アクセスネットワーク種別問合せ応答信号を送信するように構成されている機能とを具備することを要旨とする。
【００１７】
本発明の第７の特徴は、複数種別の無線アクセスネットワークのいずれかで待ち受けを行っている移動局に対して、ショートメッセージを送信するように構成されている移動通信システムで用いられるショートメッセージ配信サーバであって、受信した前記移動局宛てのショートメッセージの配信要求信号に応じて、各移動局の位置情報を管理している位置情報管理サーバに対して、該移動局の位置情報を問合せるための位置情報問合せ要求信号を送信するように構成されている機能と、前記位置情報管理サーバから受信した位置情報問合せ応答信号に含まれる前記移動局の位置情報及び該移動局の待ち受け対象の無線アクセスネットワークの種別に基づいて、前記ショートメッセージを配信するように構成されている機能とを具備することを要旨とする。
【００１８】
本発明の第８の特徴は、複数種別の無線アクセスネットワークのいずれかで待ち受けを行っている移動局に対して、ショートメッセージを送信するように構成されている移動通信システムで用いられるショートメッセージ配信サーバであって、受信した前記移動局宛てのショートメッセージの配信要求信号に応じて、各移動局の位置情報を管理している位置情報管理サーバに対して、該移動局の位置情報を問合せるための位置情報問合せ要求信号を送信するように構成されている機能と、受信した前記移動局宛てのショートメッセージの配信要求信号に応じて、前記ショートメッセージ配信サーバと無線アクセスネットワーク装置との間の各セッションに対応する移動局及び無線アクセスネットワークの種別を管理しているセッション管理サーバに対して、該移動局の待ち受け対象の無線アクセスネットワークの種別を問合せるための無線アクセスネットワーク種別問合せ要求信号を送信するように構成されている機能と、前記位置情報管理サーバから受信した位置情報問合せ応答信号に含まれる前記移動局の位置情報及び前記セッション管理サーバから受信した無線アクセスネットワーク種別問合せ応答信号に含まれる該移動局の待ち受け対象の無線アクセスネットワークの種別に基づいて、前記ショートメッセージを配信するように構成されている機能とを具備することを要旨とする。
【００１９】
本発明の第９の特徴は、複数種別の無線アクセスネットワークのいずれかで待ち受けを行っている移動局に対して、ショートメッセージを送信するように構成されている移動通信システムで用いられる位置情報管理サーバであって、各移動局の位置情報を管理するように構成されている機能と、ショートメッセージ配信サーバから、前記移動局の位置情報を問合せるための位置情報問合せ要求信号を受信し、該位置情報問合せ要求信号に応じて、該ショートメッセージ配信サーバと無線アクセスネットワーク装置との間の各セッションに対応する移動局及び無線アクセスネットワークの種別を管理しているセッション管理サーバから、該移動局の待ち受け対象の無線アクセスネットワークの種別を取得するように構成されている機能と、前記ショートメッセージ配信サーバに対して、前記移動局の位置情報及び前記セッション管理サーバから取得した該移動局の待ち受け対象の無線アクセスネットワークの種別を含む位置情報問合せ応答信号を送信するように構成されている機能とを具備することを要旨とする。
【００２０】
本発明の第１０の特徴は、複数種別の無線アクセスネットワークのいずれかで待ち受けを行っている移動局に対して、ショートメッセージを送信するように構成されている移動通信システムで用いられるセッション管理サーバであって、ショートメッセージ配信サーバと無線アクセスネットワーク装置との間の各セッションに対応する移動局及び無線アクセスネットワークの種別を管理するように構成されている機能と、各移動局の待ち受け対象の無線アクセスネットワークの種別の変更を検出した場合に、各移動局の位置情報を管理している位置情報管理サーバに対して、その旨を通知するように構成されている機能とを具備することを要旨とする。
【発明の効果】
【００２１】
以上説明したように、本発明によれば、移動局宛てのショートメッセージの配信時間を短縮することができる移動通信方法、移動通信システム、ショートメッセージ配信サーバ、位置情報管理サーバ及びセッション管理サーバを提供することができる。
【図面の簡単な説明】
【００２２】
【図１】本発明の第１の実施形態に係る移動通信システムの全体構成図である。
【図２】本発明の第１の実施形態に係る移動通信システム内の各サーバＳＭＳ-ＧＷ、ＨＳＳ、ＰＣＲＦの機能ブロック図である。
【図３】本発明の第１の実施形態に係るサーバＨＳＳによって管理されている情報の一例を示す図である。
【図４】本発明の第１の実施形態に係るサーバＰＣＲＦによって管理されている情報の一例を示す図である。
【図５】本発明の第１の実施形態に係る移動通信システムの動作を示すシーケンス図である。
【図６】本発明の第１の実施形態に係る移動通信システムの動作を説明するための図である。
【図７】本発明の変更例１に係る移動通信システム内の各サーバＳＭＳ-ＧＷ、ＨＳＳ、ＰＣＲＦの機能ブロック図である。
【図８】本発明の変更例１に係る移動通信システムの動作を示すシーケンス図である。
【図９】本発明の変更例１に係る移動通信システムの動作を説明するための図である。
【図１０】本発明の変更例１に係る移動通信システムの動作を説明するための図である。
【図１１】本発明の変更例２に係る移動通信システムの動作を示すシーケンス図である。
【図１２】本発明の変更例１に係る移動通信システムの動作を説明するための図である。
【図１３】従来の移動通信システムの動作を説明するための図である。
【図１４】従来の移動通信システムの動作を説明するための図である。
【発明を実施するための形態】
【００２３】
（本発明の第１の実施形態に係る移動通信システムの構成）
図１乃至図４を参照して、本発明の第１の実施形態に係る移動通信システムの構成について説明する。
【００２４】
図１に示すように、本実施形態に係る移動通信システムでは、複数種別のＲＡＴとして、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）/ＧＥＲＡＮ（ＧＳＭ  Ｅｄｇｅ  Ｒａｄｉｏ  Ａｃｃｅｓｓ  Ｎｅｔｗｏｒｋ）と、Ｅ-ＵＴＲＡＮ（Ｅｖｏｌｖｅｄ-ＵＴＲＡＮ））と、ＷＬＡＮ（Ｗｉｒｅｌｅｓｓ  ＬＡＮ）と、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、登録商標）とが、コアネットワークに接続されている。
【００２５】
本実施形態に係る移動通信システムは、コアネットワーク内に、ＳＭＳセンターと、サーバＳＭＳ-ＧＷと、サーバＨＳＳと、サーバＰＣＲＦとを具備する。
【００２６】
また、本実施形態に係る移動通信システムは、コアネットワーク内に、コアネットワーク装置として、交換局ＳＧＳＮと、ノードＥＰＣとを具備する。
【００２７】
また、本実施形態に係る移動通信システムは、ＵＴＲＡＮ/ＧＥＲＡＮ用の無線アクセスネットワーク装置である無線回線制御局ＲＮＣ及び無線基地局ＢＴＳと、Ｅ-ＵＴＲＡＮ用の無線アクセスネットワーク装置である無線基地局ｅＮＢと、ＷＬＡＮ用の無線アクセスネットワーク装置であるアクセスポイントＡＰと、ＷｉＭＡＸ用の無線アクセスネットワーク装置である無線基地局ＢＳとを具備する。
【００２８】
サーバＳＭＳ-ＧＷは、図２に示すように、呼制御部１１と、ＩＦ（Ｉｎｔｅｒｆａｃｅ）制御部１２とを具備する。
【００２９】
ＩＦ制御部１２は、サーバＨＳＳとのインターフェイスの役割を果たすように構成されている。
【００３０】
呼制御部１１は、ＳＭＳセンターから受信した移動局ＵＥ＃１宛てのＳＭＳメッセージの配信要求信号に応じて、ＩＦ制御部１２を介して、サーバＨＳＳに対して、移動局ＵＥ＃１の位置情報を問合せるための位置情報問合せ要求信号を送信するように構成されている機能を具備する。
【００３１】
また、呼制御部１１は、ＩＦ制御部１２を介してサーバＨＳＳから受信した位置情報問合せ応答信号に含まれる移動局ＵＥ＃１の位置情報及び移動局ＵＥ＃１の待ち受け対象のＲＡＴ種別に基づいて、ＳＭＳメッセージの配信先（例えば、交換局ＳＧＳＮやセッション）を決定し、決定した配信先に対して、ＳＭＳメッセージを配信するように構成されている機能を具備する。
【００３２】
例えば、呼制御部１１は、受信した位置情報問合せ応答信号に含まれる移動局ＵＥ＃１の待ち受け対象のＲＡＴ種別が「ＵＴＲＡＮ/ＧＥＲＡＮ」である場合には、受信した位置情報問合せ応答信号に含まれる移動局ＵＥ＃１の位置情報「ＳＧＳＮ-ＩＤ」によって特定される交換局ＳＧＳＮに対して、Ｃプレーンパスを介してＳＭＳメッセージを配信するように構成されている。
【００３３】
また、呼制御部１１は、受信した位置情報問合せ応答信号に含まれる移動局ＵＥ＃１の待ち受け対象のＲＡＴ種別が「Ｅ-ＵＴＲＡＮ」、「ＷＬＡＮ」又は「ＷｉＭＡＸ」である場合には、受信した位置情報問合せ応答信号に含まれる移動局ＵＥ＃１の位置情報「ＩＭＳ（ＩＰ  Ｍｕｌｔｉｍｅｄｉａ  Ｓｕｂｓｙｓｔｅｍ）-ＩＤ」によって特定されるＵプレーンパス（セッション）上に、ＳＭＳメッセージを配信するように構成されている。かかる場合、呼制御部１１は、ＳＭＳメッセージの配信先の無線アクセスネットワーク装置を意識する必要はない。
【００３４】
なお、呼制御部１１は、受信した位置情報問合せ応答信号に含まれる移動局ＵＥ＃１の待ち受け対象のＲＡＴ種別が「ＵＴＲＡＮ/ＧＥＲＡＮ」である場合であっても、「ＵＴＲＡＮ/ＧＥＲＡＮ」においてＩＭＳにおけるＵプレーンパス（セッション）を設定することができる場合には、受信した位置情報問合せ応答信号に含まれる移動局ＵＥ＃１の位置情報「ＩＭＳ-ＩＤ」によって特定されるＵプレーンパス（セッション）上に、ＳＭＳメッセージを配信するように構成されていてもよい。
【００３５】
また、サーバＨＳＳは、呼制御部２１と、ＩＦ制御部２２とを具備する。
【００３６】
ＩＦ制御部２２は、サーバＳＭＳ-ＧＷ及びサーバＰＣＲＦとのインターフェイスの役割を果たすように構成されている。
【００３７】
呼制御部２１は、各移動局ＵＥの位置情報を含む各移動局ＵＥに関する加入者情報を管理するように構成されている。
【００３８】
例えば、呼制御部２１は、図３に示すように、各移動局ＵＥの位置情報として、「ＳＧＳＮ-ＩＤ」と「ＩＭＳ-ＩＤ」とを管理するように構成されている。
【００３９】
「ＳＧＳＮ-ＩＤ」は、各移動局ＵＥの待ち受け対象の「ＵＴＲＡＮ/ＧＥＲＡＮ」内の位置登録エリアを管理する交換局ＳＧＳＮの識別情報である。
【００４０】
また、「ＩＭＳ-ＩＤ」は、各移動局ＵＥ用として設定されているサーバＳＭＳ-ＧＷと無線アクセスネットワーク装置（無線基地局ｅＮＢ/ＢＳやアクセスポイントＡＰ）とのセッション（Ｕプレーンパス）の識別情報である。
【００４１】
なお、呼制御部２１は、各移動局ＵＥの待ち受け対象のＲＡＴが変更になった場合であっても、上書きされるまでは、履歴として、「ＳＧＳＮ-ＩＤ」及び「ＩＭＳ-ＩＤ」を記憶しておくように構成されていてもよい。
【００４２】
また、呼制御部２１は、ＩＦ制御部２２を介してサーバＳＭＳ-ＧＷから受信した位置情報問合せ要求信号に応じて、ＩＦ制御部２２を介して、サーバＰＣＲＦから、移動局ＵＥ＃１の待ち受け対象のＲＡＴ種別を取得するように構成されている機能を具備する。
【００４３】
また、呼制御部２１は、ＩＦ制御部２２を介して、サーバＳＭＳ-ＧＷに対して、移動局ＵＥ＃１の位置情報及びサーバＰＣＲＦから取得した移動局ＵＥ＃１の待ち受け対象のＲＡＴ種別を含む位置情報問合せ応答信号を送信するように構成されている機能を具備する。
【００４４】
さらに、サーバＰＣＲＦは、蓄積部３１と、呼制御部３２と、ＩＦ制御部３３とを具備する。
【００４５】
ＩＦ制御部３３は、サーバＨＳＳとのインターフェイスの役割を果たすように構成されている。
【００４６】
蓄積部３１は、図４に示すように、サーバＳＭＳ-ＧＷと無線アクセスネットワーク装置との間の各セッションに対応する移動局ＵＥ及びＲＡＴ種別等を管理するように構成されている。なお、蓄積部３１は、更に、各セッションに対応するＱｏＳ（Ｑｕａｌｉｔｙ  ｏｆ  Ｓｅｒｖｉｃｅ）や課金ルール等を管理するように構成されていてもよい。
【００４７】
呼制御部３２は、ＩＦ制御部３３を介してサーバＨＳＳから受信したＲＡＴ種別問合せ要求信号に応じて、ＩＦ制御部３３を介して、サーバＨＳＳに対して、各移動局ＵＥの待ち受け対象のＲＡＴ種別を含むＲＡＴ種別問合せ応答信号を送信するように構成されている。
【００４８】
（本発明の第１の実施形態に係る移動通信システムの動作）
図５及び図６を参照して、本発明の第１の実施形態に係る移動通信システムの動作について説明する。
【００４９】
ステップＳ１００１において、ＳＭＳセンターから受信した移動局ＵＥ＃１宛てのＳＭＳメッセージの配信要求信号に応じて、サーバＳＭＳ-ＧＷのＩＦ制御部１２は、サーバＨＳＳのＩＦ制御部２２に対して、移動局ＵＥ＃１の位置情報を問合せるための位置情報問合せ要求信号を送信する。
【００５０】
ステップＳ１００２において、ＩＦ制御部２２は、呼制御部２１に対して、かかる位置情報問合せ要求信号を送信し、呼制御部２１は、ステップＳ１００３において、移動局ＵＥ＃１の待ち受け対象のＲＡＴ種別が必要であるか否かについて判定し、必要であると判定した場合には、ステップＳ１００４において、ＩＦ制御部２２に対して、移動局ＵＥ＃１の待ち受け対象のＲＡＴ種別を問合せるためのＲＡＴ種別問合せ要求信号を送信する。
【００５１】
ステップＳ１００５において、ＩＦ制御部２２は、サーバＰＣＲＦのＩＦ制御部３３に対して、かかるＲＡＴ種別問合せ要求信号を送信し、ステップＳ１００６において、ＩＦ制御部３３は、呼制御部３２に対して、かかるＲＡＴ種別問合せ要求信号を送信する。
【００５２】
呼制御部３２は、ステップＳ１００７において、ＲＡＴ種別問合せ要求信号を受信したことを検知すると、ステップＳ１００８において、蓄積部３１に対して、加入者情報取得要求信号を送信し、ステップＳ１００９において、蓄積部３１から、移動局ＵＥ＃１の待ち受け対象のＲＡＴ種別を含む加入者情報応答信号を受信する。
【００５３】
ステップＳ１０１０において、呼制御部３２は、ＩＦ制御部３３に対して、移動局ＵＥ＃１の待ち受け対象のＲＡＴ種別を含むＲＡＴ種別問合せ応答信号を送信し、ステップＳ１０１１において、ＩＦ制御部３３は、ＩＦ制御部２２に対して、かかるＲＡＴ種別問合せ応答信号を送信し、ステップＳ１０１２において、ＩＦ制御部２２は、呼制御部２１に対して、かかるＲＡＴ種別問合せ応答信号を送信する。
【００５４】
ステップＳ１０１３において、呼制御部２１は、受信したＲＡＴ種別問合せ応答信号に含まれる移動局ＵＥ＃１の待ち受け対象のＲＡＴ種別及び自身が管理している移動局ＵＥ＃１の位置情報を含む位置情報問合せ応答信号を、ＩＦ制御部２２に送信し、ステップＳ１０１４において、ＩＦ制御部２２は、ＩＦ制御部１２に対して、かかる位置情報問合せ応答信号を送信し、ステップＳ１０１５において、ＩＦ制御部１２は、呼制御部１１に対して、かかる位置情報問合せ応答信号を送信する。
【００５５】
呼制御部１１は、ステップＳ１０１６において、位置情報問合せ応答信号に含まれる移動局ＵＥ＃１の待ち受け対象のＲＡＴ種別及び移動局ＵＥ＃１の位置情報に基づいて、移動局ＵＥ＃１宛てのＳＭＳメッセージの配信先（交換局ＳＧＳＮ又はセッション）を決定し、ステップＳ１０１７において、ＩＦ制御部１２を介して、かかる配信先に対して、ＳＭＳメッセージを配信する。
【００５６】
（本発明の第１の実施形態に係る移動通信システムの作用・効果）
本発明の第１の実施形態に係る移動通信システムによれば、サーバＳＭＳ-ＧＷが、サーバＨＳＳから受信した位置情報問合せ応答信号に含まれる移動局ＵＥ＃１の位置情報及び移動局ＵＥ＃１の待ち受け対象のＲＡＴ種別に基づいて、ＳＭＳメッセージの配信先を決定するため、移動局ＵＥ＃１の待ち受け対象のＲＡＴ以外に対してＳＭＳメッセージを転送してしまうという事態を回避することができ、ＳＭＳメッセージの配信遅延を小さくすることができる。
【００５７】
以上に述べた本実施形態の特徴は、以下のように表現されていてもよい。
【００５８】
本実施形態の第１の特徴は、複数種別のＲＡＴ（無線アクセスネットワーク：ＵＴＲＡＮ/ＧＥＲＡＮ、Ｅ-ＵＴＲＡＮ、ＷＬＡＮ、ＷＩＭＡＸ）のいずれかで待ち受けを行っている移動局ＵＥ＃１に対して、ＳＭＳメッセージ（ショートメッセージ）を送信する移動通信方法であって、サーバＳＭＳ-ＧＷ（ショートメッセージ配信サーバ）が、受信した移動局ＵＥ＃１宛てのＳＭＳメッセージの配信要求信号に応じて、各移動局ＵＥの位置情報を管理しているサーバＨＳＳ（位置情報管理サーバ）に対して、移動局ＵＥ＃１の位置情報を問合せるための位置情報問合せ要求信号を送信する工程と、サーバＨＳＳが、受信した位置情報問合せ要求信号に応じて、サーバＳＭＳ-ＧＷと無線アクセスネットワーク装置（ＲＮＣ/ＢＴＳ、ｅＮＢ、ＡＰ、ＢＳ）との間の各セッションに対応する移動局ＵＥ及びＲＡＴ種別（無線アクセスネットワークの種別）を管理しているサーバＰＣＲＦ（セッション管理サーバ）から、移動局ＵＥ＃１の待ち受け対象の無線アクセスネットワークの種別を取得する工程と、サーバＨＳＳが、サーバＳＭＳ-ＧＷに対して、移動局ＵＥ＃１の位置情報及び移動局ＵＥ＃１の待ち受け対象のＲＡＴ種別を含む位置情報問合せ応答信号を送信する工程と、サーバＳＭＳ-ＧＷが、受信した位置情報問合せ応答信号に含まれる移動局ＵＥ＃１の位置情報及び移動局ＵＥ＃１の待ち受け対象のＲＡＴ種別に基づいて、ＳＭＳメッセージを配信する工程とを有することを要旨とする。
【００５９】
本実施形態の第２の特徴は、複数種別のＲＡＴのいずれかで待ち受けを行っている移動局ＵＥ＃１に対して、ＳＭＳメッセージを送信するように構成されている移動通信システムであって、サーバＳＭＳ-ＧＷと、各移動局ＵＥの位置情報を管理しているサーバＨＳＳと、サーバＳＭＳ-ＧＷと無線アクセスネットワーク装置との間の各セッションに対応する移動局ＵＥ及びＲＡＴ種別を管理しているサーバＰＣＲＦとを具備し、サーバＳＭＳ-ＧＷは、受信した移動局ＵＥ＃１宛てのＳＭＳメッセージの配信要求信号に応じて、サーバＨＳＳに対して、移動局ＵＥ＃１の位置情報を問合せるための位置情報問合せ要求信号を送信するように構成されている機能と、サーバＨＳＳから受信した位置情報問合せ応答信号に含まれる移動局ＵＥ＃１の位置情報及び移動局ＵＥ＃１の待ち受け対象のＲＡＴ種別に基づいて、ＳＭＳメッセージを配信するように構成されている機能とを具備し、サーバＨＳＳは、サーバＳＭＳ-ＧＷから受信した位置情報問合せ要求信号に応じて、サーバＰＣＲＦから、移動局ＵＥ＃１の待ち受け対象のＲＡＴ種別を取得するように構成されている機能と、サーバＳＭＳ-ＧＷに対して、移動局ＵＥ＃１の位置情報及びサーバＰＣＲＦから取得した移動局ＵＥ＃１の待ち受け対象のＲＡＴ種別を含む位置情報問合せ応答信号を送信するように構成されている機能とを具備することを要旨とする。
【００６０】
本実施形態の第３の特徴は、複数種別のＲＡＴのいずれかで待ち受けを行っている移動局ＵＥ＃１に対して、ＳＭＳメッセージを送信するように構成されている移動通信システムで用いられるサーバＳＭＳ-ＧＷであって、受信した移動局ＵＥ＃１宛てのＳＭＳメッセージの配信要求信号に応じて、各移動局ＵＥの位置情報を管理しているサーバＨＳＳに対して、移動局ＵＥ＃１の位置情報を問合せるための位置情報問合せ要求信号を送信するように構成されている機能と、サーバＨＳＳから受信した位置情報問合せ応答信号に含まれる移動局ＵＥ＃１の位置情報及び移動局ＵＥ＃１の待ち受け対象のＲＡＴ種別に基づいて、ＳＭＳメッセージを配信するように構成されている機能とを具備することを要旨とする。
【００６１】
本実施形態の第４の特徴は、複数種別のＲＡＴのいずれかで待ち受けを行っている移動局ＵＥ＃１に対して、ＳＭＳメッセージを送信するように構成されている移動通信システムで用いられるサーバＨＳＳであって、各移動局ＵＥの位置情報を管理するように構成されている機能と、サーバＳＭＳ-ＧＷから、移動局ＵＥ＃１の位置情報を問合せるための位置情報問合せ要求信号を受信し、位置情報問合せ要求信号に応じて、サーバＳＭＳ-ＧＷと無線アクセスネットワーク装置との間の各セッションに対応する移動局ＵＥ及びＲＡＴ種別を管理しているサーバＰＣＲＦから、移動局ＵＥ＃１の待ち受け対象のＲＡＴ種別を取得するように構成されている機能と、サーバＳＭＳ-ＧＷに対して、移動局ＵＥ＃１の位置情報及びサーバＰＣＲＦから取得した移動局ＵＥ＃１の待ち受け対象のＲＡＴ種別を含む位置情報問合せ応答信号を送信するように構成されている機能とを具備することを要旨とする。
【００６２】
（変更例１）
以下、図７乃至図１０を参照して、本発明の変更例１に係る移動通信システムについて、上述の第１の実施形態に係る移動通信システムとの相違点に着目して説明する。
【００６３】
図７に示すように、サーバＨＳＳは、呼制御部２１及びＩＦ制御部２２に加えて、蓄積部２３を具備する。
【００６４】
蓄積部２３は、サーバＰＣＲＦからの通知に基づいて、各移動局ＵＥの待ち受け対象のＲＡＴ種別を管理するように構成されている。
【００６５】
また、サーバＰＣＲＦの呼制御部３２は、各移動局ＵＥの待ち受け対象のＲＡＴ種別の変更を検出した場合に、サーバＨＳＳに対して、その旨を通知するように構成されている機能を具備する
例えば、呼制御部３２は、ノードＥＰＣから受信したセッション変更通知信号に応じて、各移動局ＵＥの待ち受け対象のＲＡＴ種別の変更を検出するように構成されていてもよい。
【００６６】
図８乃至図１０を参照して、本変更例１に係る移動通信システムの動作について説明する。
【００６７】
ステップＳ２００１において、サーバＰＣＲＦのＩＦ制御部３３は、ノードＥＰＣから移動局ＵＥ＃１用のセッション変更通知信号を受信すると、呼制御部３２に対して、移動局ＵＥ＃１の待ち受け対象のＲＡＴ種別を変更するためのＲＡＴ登録信号を送信し、呼制御部３２は、ステップＳ２００２において、蓄積部３１内で、移動局ＵＥ＃１の待ち受け対象のＲＡＴ種別を変更し、ステップＳ２００３において、ＩＦ制御部３３に対して、その旨を通知するためのＲＡＴ通知信号を送信し、ステップＳ２００４において、ＩＦ制御部３３は、サーバＨＳＳのＩＦ制御部２２に対して、かかるＲＡＴ通知信号を送信する。
【００６８】
ステップ２００５において、ＩＦ制御部２２は、呼制御部２１に対して、かかるＲＡＴ通知信号を送信し、呼制御部２１は、ステップＳ２００６において、ＲＡＴ通知信号を受信したことを検知すると、ステップＳ２００７において、蓄積部２３に対して、移動局ＵＥ＃１の待ち受け対象のＲＡＴ種別を更新するための加入者情報更新信号を送信し、ステップＳ２００８において、蓄積部２３は、移動局ＵＥ＃１の待ち受け対象のＲＡＴ種別を更新する。
【００６９】
その後、ステップＳ２０１０において、ＳＭＳセンターから受信した移動局ＵＥ＃１宛てのＳＭＳメッセージの配信要求信号に応じて、サーバＳＭＳ-ＧＷのＩＦ制御部１２は、サーバＨＳＳのＩＦ制御部２２に対して、移動局ＵＥ＃１の位置情報を問合せるための位置情報問合せ要求信号を送信する。
【００７０】
ステップＳ２０１１において、ＩＦ制御部２２は、呼制御部２１に対して、かかる位置情報問合せ要求信号を送信し、呼制御部２１は、ステップＳ２０１１Ａにおいて、移動局ＵＥ＃１の待ち受け対象のＲＡＴ種別が必要であるか否かについて判定し、必要であると判定した場合には、ステップＳ２０１２において、蓄積部２３に対して、加入者情報取得要求信号を送信し、ステップＳ２０１３において、蓄積部２３から、移動局ＵＥ＃１の待ち受け対象のＲＡＴ種別を含む加入者情報応答信号を受信する。
【００７１】
ステップＳ２０１４において、呼制御部２１は、受信した加入者情報応答信号に含まれる移動局ＵＥ＃１の待ち受け対象のＲＡＴ種別及び自身が管理している移動局ＵＥ＃１の位置情報を含む位置情報問合せ応答信号を、ＩＦ制御部２２に送信し、ステップＳ２０１５において、ＩＦ制御部２２は、ＩＦ制御部１２に対して、かかる位置情報問合せ応答信号を送信し、ステップＳ２０１６において、ＩＦ制御部１２は、呼制御部１１に対して、かかる位置情報問合せ応答信号を送信する。
【００７２】
呼制御部１１は、ステップＳ２０１７において、位置情報問合せ応答信号に含まれる移動局ＵＥ＃１の待ち受け対象のＲＡＴ種別及び移動局ＵＥ＃１の位置情報に基づいて、移動局ＵＥ＃１宛てのＳＭＳメッセージの配信先（交換局ＳＧＳＮ又はセッション）を決定し、ステップＳ２０１８において、ＩＦ制御部１２を介して、かかる配信先に対して、ＳＭＳメッセージを配信する。
【００７３】
本変更例１に係る移動通信システムによれば、サーバＳＭＳ-ＧＷが、サーバＨＳＳから受信した位置情報問合せ応答信号に含まれる移動局ＵＥ＃１の位置情報及び移動局ＵＥ＃１の待ち受け対象のＲＡＴ種別に基づいて、ＳＭＳメッセージの配信先を決定するため、移動局ＵＥ＃１の待ち受け対象のＲＡＴ以外に対してＳＭＳメッセージを転送してしまうという事態を回避することができ、ＳＭＳメッセージの配信遅延を小さくすることができる。
【００７４】
また、本変更例１に係る移動通信システムによれば、サーバＰＣＲＦが、各異動局ＵＥの待ち受け対象のＲＡＴ種別の変更を検知した場合に、サーバＨＳＳに対して、その旨を通知しているため、サーバＨＳＳは、サーバＳＭＳ-ＧＷからの位置情報問合せ要求信号に対して、早急に、移動局ＵＥ＃１の位置情報及び移動局ＵＥ＃１の待ち受け対象のＲＡＴ種別を含む位置情報問合せ応答信号を送信することができる。
【００７５】
以上に述べた本変更例の特徴は、以下のように表現されていてもよい。
【００７６】
本変更例の第１の特徴は、複数種別のＲＡＴのいずれかで待ち受けを行っている移動局ＵＥ＃１に対して、ＳＭＳメッセージを送信する移動通信方法であって、  サーバＳＭＳ-ＧＷと無線アクセスネットワーク装置との間の各セッションに対応する移動局ＵＥ及びＲＡＴ種別を管理しているサーバＰＣＲＦが、各移動局ＵＥの待ち受け対象のＲＡＴ種別の変更を検出した場合に、各移動局ＵＥの位置情報及び各移動局ＵＥの待ち受け対象のＲＡＴ種別を管理しているサーバＨＳＳに対して、その旨を通知する工程と、サーバＨＳＳが、サーバＰＣＲＦからの通知に応じて、各移動局ＵＥの待ち受け対象のＲＡＴ種別を更新する工程と、サーバＳＭＳ-ＧＷが、受信した移動局ＵＥ＃１宛てのＳＭＳメッセージの配信要求信号に応じて、サーバＨＳＳに対して、移動局ＵＥ＃１の位置情報を問合せるための位置情報問合せ要求信号を送信する工程と、サーバＨＳＳが、受信した位置情報問合せ要求信号に応じて、サーバＳＭＳ-ＧＷに対して、移動局ＵＥ＃１の位置情報及び移動局ＵＥ＃１の待ち受け対象のＲＡＴ種別を含む位置情報問合せ応答信号を送信する工程と、サーバＳＭＳ-ＧＷが、受信した位置情報問合せ応答信号に含まれる移動局ＵＥ＃１の位置情報及び移動局ＵＥ＃１の待ち受け対象のＲＡＴ種別に基づいて、ＳＭＳメッセージを配信する工程とを有することを要旨とする。
【００７７】
本変更例の第２の特徴は、複数種別のＲＡＴのいずれかで待ち受けを行っている移動局ＵＥ＃１に対して、ＳＭＳメッセージを送信するように構成されている移動通信システムであって、サーバＳＭＳ-ＧＷと、各移動局ＵＥの位置情報及び各移動局ＵＥの待ち受け対象のＲＡＴ種別を管理しているを管理しているサーバＨＳＳと、サーバＳＭＳ-ＧＷと無線アクセスネットワーク装置との間の各セッションに対応する移動局ＵＥ及びＲＡＴ種別を管理しているサーバＰＣＲＦとを具備し、サーバＳＭＳ-ＧＷは、受信した移動局ＵＥ＃１宛てのＳＭＳメッセージの配信要求信号に応じて、サーバＨＳＳに対して、移動局ＵＥ＃１の位置情報を問合せるための位置情報問合せ要求信号を送信するように構成されている機能と、サーバＨＳＳから受信した位置情報問合せ応答信号に含まれる移動局ＵＥ＃１の位置情報及び移動局ＵＥ＃１の待ち受け対象のＲＡＴ種別に基づいて、ＳＭＳメッセージを配信するように構成されている機能とを具備し、サーバＨＳＳは、サーバＳＭＳ-ＧＷから受信した位置情報問合せ要求信号に応じて、サーバＳＭＳ-ＧＷに対して、移動局ＵＥ＃１の位置情報及び移動局ＵＥ＃１の待ち受け対象のＲＡＴ種別を含む位置情報問合せ応答信号を送信するように構成されている機能を具備し、サーバＰＣＲＦは、各移動局ＵＥの待ち受け対象のＲＡＴ種別の変更を検出した場合に、サーバＨＳＳに対して、その旨を通知するように構成されている機能を具備することを要旨とする。
【００７８】
本変更例の第３の特徴は、複数種別のＲＡＴのいずれかで待ち受けを行っている移動局ＵＥ＃１に対して、ＳＭＳメッセージを送信するように構成されている移動通信システムで用いられるサーバＰＣＲＦであって、サーバＳＭＳ-ＧＷと無線アクセスネットワーク装置との間の各セッションに対応する移動局ＵＥ及びＲＡＴ種別を管理するように構成されている機能と、各移動局ＵＥの待ち受け対象のＲＡＴ種別の変更を検出した場合に、各移動局ＵＥの位置情報を管理しているサーバＨＳＳに対して、その旨を通知するように構成されている機能とを具備することを要旨とする。
【００７９】
（変更例２）
以下、図１１及び図１２を参照して、本発明の変更例２に係る移動通信システムについて、上述の第１の実施形態に係る移動通信システムとの相違点に着目して説明する。
【００８０】
本変更例２に係る移動通信システムにおいて、サーバＳＭＳ-ＧＷの呼制御部１１は、ＳＭＳセンターから受信した移動局ＵＥ＃１宛てのＳＭＳメッセージの配信要求信号に応じて、サーバＨＳＳに対して、移動局ＵＥ＃１の位置情報を問合せるための位置情報問合せ要求信号を送信するように構成されている機能を具備する。
【００８１】
また、サーバＳＭＳ-ＧＷの呼制御部１１は、ＳＭＳセンターから受信した移動局ＵＥ＃１宛てのＳＭＳメッセージの配信要求信号に応じて、サーバＰＣＲＦに対して、移動局ＵＥ＃１の待ち受け対象のＲＡＴ種別を問合せるためのＲＡＴ種別問合せ要求信号を送信するように構成されている機能を具備する。
【００８２】
さらに、サーバＳＭＳ-ＧＷの呼制御部１１は、サーバＨＳＳから受信した位置情報問合せ応答信号に含まれる移動局ＵＥ＃１の位置情報及びサーバＰＣＲＦから受信したＲＡＴ種別問合せ応答信号に含まれる移動局ＵＥ＃１の待ち受け対象のＲＡＴ種別に基づいて、ＳＭＳメッセージを配信するように構成されている機能を具備する。
【００８３】
図１１及び図１２を参照して、本変更例２に係る移動通信システムの動作について説明する。
【００８４】
ステップＳ３００１において、ＳＭＳセンターから受信した移動局ＵＥ＃１宛てのＳＭＳメッセージの配信要求信号に応じて、サーバＳＭＳ-ＧＷのＩＦ制御部１２は、サーバＨＳＳのＩＦ制御部２２に対して、移動局ＵＥ＃１の位置情報を問合せるための位置情報問合せ要求信号を送信する。
【００８５】
ステップＳ３００２において、ＩＦ制御部２２は、呼制御部２１に対して、かかる位置情報問合せ要求信号を送信し、ステップＳ３００３において、呼制御部２１は、ＩＦ制御部２２に対して、移動局ＵＥ＃１の位置情報を含む位置情報問合せ要求信号を送信し、ステップＳ３００４において、ＩＦ制御部２２は、ＩＦ制御部１２に対して、かかる位置情報問合せ要求信号を送信し、ステップＳ３００５において、ＩＦ制御部１２は、呼制御部１１に対して、かかる位置情報問合せ要求信号を送信する。
【００８６】
また、ステップＳ３０１０において、ＳＭＳセンターから受信した移動局ＵＥ＃１宛てのＳＭＳメッセージの配信要求信号に応じて、サーバＳＭＳ-ＧＷのＩＦ制御部１２は、サーバＰＣＲＦのＩＦ制御部３３に対して、移動局ＵＥ＃１の待ち受け対象のＲＡＴ種別を問合せるためのＲＡＴ種別問合せ要求信号を送信し、ステップＳ３０１１において、ＩＦ制御部３３は、呼制御部３２に対して、かかるＲＡＴ種別問合せ要求信号を送信する。
【００８７】
呼制御部３２は、ステップＳ３０１２において、ＲＡＴ種別問合せ要求信号を受信したことを検知すると、蓄積部３１に対して、加入者情報取得要求信号を送信し、ステップＳ３０１３において、蓄積部３１から、移動局ＵＥ＃１の待ち受け対象のＲＡＴ種別を含む加入者情報応答信号を受信する。
【００８８】
ステップＳ３０１４において、呼制御部３２は、ＩＦ制御部３３に対して、移動局ＵＥ＃１の待ち受け対象のＲＡＴ種別を含むＲＡＴ種別問合せ応答信号を送信し、ステップＳ３０１５において、ＩＦ制御部３３は、ＩＦ制御部１２に対して、かかるＲＡＴ種別問合せ応答信号を送信し、ステップＳ３０１６において、ＩＦ制御部１２は、呼制御部１１に対して、かかるＲＡＴ種別問合せ応答信号を送信する。
【００８９】
ステップＳ３０２１において、呼制御部１１は、サーバＨＳＳから受信した位置情報問合せ要求信号に含まれる移動局ＵＥ＃１の位置情報及びサーバＰＣＲＦから受信したＲＡＴ種別問合せ応答信号に含まれる移動局ＵＥ＃１の待ち受け対象のＲＡＴ種別に基づいて、移動局ＵＥ＃１宛てのＳＭＳメッセージの配信先（交換局ＳＧＳＮ又はセッション）を決定し、ステップＳ３０２２において、ＩＦ制御部１２を介して、かかる配信先に対して、ＳＭＳメッセージを配信する。
【００９０】
本変更例２に係る移動通信システムによれば、サーバＳＭＳ-ＧＷが、サーバＨＳＳから受信した位置情報問合せ応答信号に含まれる移動局ＵＥ＃１の位置情報及びサーバＰＣＲＦから受信したＲＡＴ種別問合せ応答信号に含まれる移動局ＵＥ＃１の待ち受け対象のＲＡＴ種別に基づいて、ＳＭＳメッセージの配信先を決定するため、移動局ＵＥ＃１の待ち受け対象のＲＡＴ以外に対してＳＭＳメッセージを転送してしまうという事態を回避することができ、ＳＭＳメッセージの配信遅延を小さくすることができる。
【００９１】
本変更例の第１の特徴は、複数種別のＲＡＴのいずれかで待ち受けを行っている移動局ＵＥ＃１に対して、ＳＭＳメッセージを送信する移動通信方法であって、  サーバＳＭＳ-ＧＷが、受信した移動局ＵＥ＃１宛てのＳＭＳメッセージの配信要求信号に応じて、各移動局ＵＥの位置情報を管理しているサーバＨＳＳに対して、移動局ＵＥ＃１の位置情報を問合せるための位置情報問合せ要求信号を送信し、サーバＳＭＳ-ＧＷと無線アクセスネットワーク装置との間の各セッションに対応する移動局ＵＥ及びＲＡＴ種別を管理しているサーバＰＣＲＦに対して、移動局ＵＥ＃１の待ち受け対象のＲＡＴ種別を問合せるためのＲＡＴ種別問合せ要求信号（無線アクセスネットワーク種別問合せ要求信号）を送信する工程と、サーバＨＳＳが、サーバＳＭＳ-ＧＷに対して、移動局ＵＥ＃１の位置情報を含む位置情報問合せ応答信号を送信する工程と、サーバＰＣＲＦが、サーバＳＭＳ-ＧＷに対して、移動局ＵＥ＃１の待ち受け対象のＲＡＴ種別を含むＲＡＴ種別問合せ応答信号（無線アクセスネットワーク種別問合せ応答信号）を送信する工程と、サーバＳＭＳ-ＧＷが、受信した位置情報問合せ応答信号に含まれる移動局ＵＥ＃１の位置情報及び受信したＲＡＴ種別問合せ応答信号に含まれる移動局ＵＥ＃１の待ち受け対象のＲＡＴ種別に基づいて、ＳＭＳメッセージを配信する工程とを有することを要旨とする。
【００９２】
本変更例の第２の特徴は、複数種別のＲＡＴのいずれかで待ち受けを行っている移動局ＵＥ＃１に対して、ＳＭＳメッセージを送信するように構成されている移動通信システムであって、サーバＳＭＳ-ＧＷと、各移動局ＵＥの位置情報を管理しているサーバＨＳＳと、サーバＳＭＳ-ＧＷと無線アクセスネットワーク装置との間の各セッションに対応する移動局ＵＥ及びＲＡＴ種別を管理しているサーバＰＣＲＦとを具備し、ＳＭＳ-ＧＷサーバは、受信した移動局ＵＥ＃１宛てのＳＭＳメッセージの配信要求信号に応じて、サーバＨＳＳに対して、移動局ＵＥ＃１の位置情報を問合せるための位置情報問合せ要求信号を送信するように構成されている機能と、受信した移動局ＵＥ＃１宛てのＳＭＳメッセージの配信要求信号に応じて、サーバＰＣＲＦに対して、移動局ＵＥ＃１の待ち受け対象のＲＡＴ種別を問合せるためのＲＡＴ種別問合せ要求信号を送信するように構成されている機能と、サーバＨＳＳから受信した位置情報問合せ応答信号に含まれる移動局ＵＥ＃１の位置情報及びサーバＰＣＲＦから受信したＲＡＴ種別問合せ応答信号に含まれる移動局ＵＥ＃１の待ち受け対象のＲＡＴ種別に基づいて、ＳＭＳメッセージを配信するように構成されている機能とを具備し、サーバＨＳＳは、サーバＳＭＳ-ＧＷから受信した位置情報問合せ要求信号に応じて、サーバＳＭＳ-ＧＷに対して、移動局ＵＥ＃１の位置情報を含む位置情報問合せ応答信号を送信するように構成されている機能とを具備し、サーバＰＣＲＦは、サーバＳＭＳ-ＧＷから受信したＲＡＴ種別問合せ要求信号に応じて、サーバＳＭＳ-ＧＷに対して、移動局ＵＥ＃１の待ち受け対象のＲＡＴ種別を含むＲＡＴ種別問合せ応答信号を送信するように構成されている機能とを具備することを要旨とする。
【００９３】
本変更例の第３の特徴は、複数種別のＲＡＴのいずれかで待ち受けを行っている移動局ＵＥ＃１に対して、ＳＭＳメッセージを送信するように構成されている移動通信システムで用いられるサーバＳＭＳ-ＧＷであって、受信した移動局ＵＥ＃１宛てのＳＭＳメッセージの配信要求信号に応じて、各移動局ＵＥの位置情報を管理しているサーバＨＳＳに対して、移動局ＵＥ＃１の位置情報を問合せるための位置情報問合せ要求信号を送信するように構成されている機能と、受信した移動局ＵＥ＃１宛てのＳＭＳメッセージの配信要求信号に応じて、サーバＳＭＳ-ＧＷと無線アクセスネットワーク装置との間の各セッションに対応する移動局ＵＥ及びＲＡＴ種別を管理しているサーバＰＣＲＦに対して、移動局ＵＥ＃１の待ち受け対象のＲＡＴ種別を問合せるためのＲＡＴ種別問合せ要求信号を送信するように構成されている機能と、サーバＨＳＳから受信した位置情報問合せ応答信号に含まれる移動局ＵＥ＃１の位置情報及びサーバＰＣＲＦから受信したＲＡＴ種別問合せ応答信号に含まれる移動局ＵＥ＃１の待ち受け対象のＲＡＴ種別に基づいて、ＳＭＳメッセージを配信するように構成されている機能とを具備することを要旨とする。
【００９４】
なお、上述の移動局ＵＥやサーバＳＭＳ-ＧＷ、ＨＳＳ、ＰＣＲＦやコアネットワーク装置ＥＰＣ、ＳＧＳＮや無線アクセスネットワーク装置ＲＮＣ/ＢＴＳ、ｅＮＢ、ＡＰ、ＢＳの動作は、ハードウェアによって実施されてもよいし、プロセッサによって実行されるソフトウェアモジュールによって実施されてもよいし、両者の組み合わせによって実施されてもよい。
【００９５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥやサーバＳＭＳ-ＧＷ、ＨＳＳ、ＰＣＲＦやコアネットワーク装置ＥＰＣ、ＳＧＳＮや無線アクセスネットワーク装置ＲＮＣ/ＢＴＳ、ｅＮＢ、ＡＰ、ＢＳ内に設けられていてもよい。また、かかる記憶媒体及びプロセッサは、ディスクリートコンポーネントとして移動局ＵＥやサーバＳＭＳ-ＧＷ、ＨＳＳ、ＰＣＲＦやコアネットワーク装置ＥＰＣ、ＳＧＳＮや無線アクセスネットワーク装置ＲＮＣ/ＢＴＳ、ｅＮＢ、ＡＰ、ＢＳ内に設けられていてもよい。
【００９７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９８】
ＳＭＳ-ＧＷ、ＨＳＳ、ＰＣＲＦ…サーバ
１１、２１、３２…呼制御部
１２、２２、３３…ＩＦ制御部
３１、２３…蓄積部
ＥＰＣ、ＳＧＳＮ…コアネットワーク装置
ＲＮＣ/ＢＴＳ、ｅＮＢ、ＡＰ、ＢＳ…無線アクセスネットワーク装置
ＵＥ…移動局
【図１】
2010258901.tif 000003
【図２】
2010258901.tif 000004
【図３】
2010258901.tif 000005
【図４】
2010258901.tif 000006
【図５】
2010258901.tif 000007
【図６】
2010258901.tif 000008
【図７】
2010258901.tif 000009
【図８】
2010258901.tif 000010
【図９】
2010258901.tif 000011
【図１０】
2010258901.tif 000012
【図１１】
2010258901.tif 000013
【図１２】
2010258901.tif 000014
【図１３】
2010258901.tif 000015
【図１４】
2010258901.tif 000016